(57)【要約】【課題】装飾性のみならず、意外性や芸術性に富んだ装飾板を提供する。【解決手段】複数枚の写真画像Ｘ，Ｙ，Ｚをコンピュータ処理によって縦方向または横方向に多数の線状帯ｘ，ｙ，ｚに分ける。これらの異なる写真画像の線状帯ｘ，ｙ，ｚを順に並べて１枚の写真シート１３に印刷する。その上に線状帯群１５のピッチと方向を合わせたカマボコ形のレンズ１２の集合体からなる透明なレンチキュラーレンズ１１を貼り付けた装飾板てある。その上、上記写真シート１３の印刷基板として透明または半透明シート１４を用いると共に、写真画像の一つを画像のない無画像３３とし、画面を傾けるか視線を変えることで実画像が消滅して透明または半透明の無画像３３が発現するようにする。【選択図】図２
2005074719.tif 000002
【特許請求の範囲】
【請求項１】
複数枚の写真画像をコンピュータ処理によって縦方向または横方向に多数の線状帯に分け、これらの異なる写真画像の線状帯を順に並べて１枚の写真シートに印刷し、その上に線状帯群のピッチと方向を合わせたカマボコ形のレンズの集合体からなる透明なレンチキュラーレンズを貼り付けた装飾板において、上記写真シートの印刷基板として透明または半透明シートを用いると共に、写真画像の一つを画像のない無画像とし、画面を傾けるか視線を変えることで実画像が消滅して透明または半透明の無画像が発現するようにさせた装飾板。
【請求項２】
レンチキュラーレンズを、インジェクション成形、シルク印刷方式、押し出しシート成形、または熱厚プレス成形により成形させた請求項１記載の装飾板。
【請求項３】
照明具を具備し、画像の立体感を増大させた請求項１記載の装飾板。
【請求項４】
直角６面体からなる装飾体において、天井部を除く４側面部を、請求項１に記載の装飾板により形成すると共に、上記装飾板のレンチキュラーレンズのレンズを同一方向に指向させたことを特徴とする装飾体。
【請求項５】
天井部を、請求項１に記載の装飾板により形成すると共に、上記装飾板のレンチキュラーレンズを天井部の対角線の方向に指向させた請求項４記載の装飾体。
【請求項６】
天井部を、第１対角線上の２つの区域と、上記第１対角線と直交する第２対角線上の２つの区域とに分割すると共に、これらの４区域のレンチキュラーレンズを個々の対角線と直交する方向に指向させた請求項５記載の装飾体。
【請求項７】
天井部のレンチキュラーレンズを同心円形にする請求項５記載の装飾体。
【請求項８】
天井部のレンズ部を碁盤の目の如く配した多数の凸レンズ状の突起により形成させた請求項５記載の装飾体。
【請求項９】
レンチキュラーレンズまたは凸レンズ状の突起を、インジェクション成形、シルク印刷方式、押し出しシート成形、または熱厚プレス成形により成形させた請求項４〜８のいずれか１つに記載の装飾体。
【請求項１０】
照明具を具備し、画像の立体感を増大させた請求項４記載の装飾体。
【発明の詳細な説明】
【技術分野】
【０００１】
本発明は、３次元効果のある装飾板および当該装飾板を用いた立体的な装飾体に関する
【背景技術】
【０００２】
従来、見る角度によって模様または色彩が変化する装飾体、あるいは、平面シートに立体感を感じさせる装飾体として、断面形状がカマボコ形のレンズで形成されたレンチキュラー板を用いたものが知られている（例えば、特許文献１参照）。
【特許文献１】特開平８−２３４３３５号公報（第１頁、図１）
【０００３】
この種の３Ｄ画像シートは、予め、複数枚の写真画像をコンピュータ処理によって縦方向または横方向に多数の線状帯に分け、これらの異なる写真画像の線状帯を順に並べて１枚の写真シートに印刷し、その上に線状帯のピッチと方向を合わせたカマボコ形のレンズの集合体からなる透明なレンチキュラーレンズを貼り付けたものであり、このレンチキュラーレンズのレンズ作用によって複数の画像を重ね合わせることで、通常の視覚距離で結合して見え、画像に立体感を現出したり、あるいは、画面を傾けることで画像が変化するようになっている。
【０００４】
従来の３Ｄ画像シートは、上記のように、レンチキュラーレンズのレンズ作用によって画像に立体感を現出したり、あるいは、画面を傾けることで画像が変化することから、各種の分野で用いられているが、装飾性のみらず、意外性や芸術性に富んだ装飾体の実現が要望されている。
【発明の開示】
【発明が解決しようとする課題】
【０００５】
本発明は、このような要望に応えるためになされたものであり、その目的の一つは、装飾性のみならず、意外性や芸術性に富んだ装飾板を提供することにある。また、他の目的は、この装飾板を用いた立体的な装飾体を提供することにある。
【課題を解決するための手段】
【０００６】
上記の課題を達成するため、本発明は、次のように構成されている。
本発明の装飾板は、複数枚の写真画像をコンピュータ処理によって縦方向または横方向に多数の線状帯に分け、これらの異なる写真画像の線状帯を順に並べて１枚の写真シートに印刷し、その上に線状帯群のピッチと方向を合わせたカマボコ形のレンズの集合体からなる透明なレンチキュラーレンズを貼り付けた装飾板において、上記写真シートの印刷基板として透明または半透明シートを用いると共に、写真画像の一つを画像のない無画像とし、画面を傾けるか視線を変えることで実画像が消滅して透明または半透明の無画像が発現するように形成されている。
【０００７】
また、本発明の装飾板は、レンチキュラーレンズを、インジェクション成形、シルク印刷方式、押し出しシート成形、または熱厚プレス成形により成形させている。
その上、本発明の装飾板は、照明具を具備し、画像の立体感を増大させている。
【０００８】
一方、本発明の装飾体は、直角６面体からなる装飾体において、天井部を除く４側面部を、請求項１に記載の装飾板により形成すると共に、上記装飾板のレンチキュラーレンズのレンズを同一方向に指向させたことを特徴としている。
【０００９】
また、本発明の装飾体は、天井部を、請求項１に記載の装飾板により形成すると共に、上記装飾板のレンチキュラーレンズを天井部の対角線の方向に指向させている。
【００１０】
また、本発明の装飾体は、天井部を、第１対角線上の２つの区域と、上記第１対角線と直交する第２対角線上の２つの区域とに分割すると共に、これらの４区域のレンチキュラーレンズを個々の対角線と直交する方向に指向させている。
【００１１】
また、本発明の装飾体は、天井部のレンチキュラーレンズを同心円形にしている。
また、本発明の装飾体は、天井部のレンズ部を碁盤の目の如く配した多数の凸レンズ状の突起により形成させている。
【００１２】
また、本発明の装飾体は、レンチキュラーレンズまたは凸レンズ状の突起を、インジェクション成形、シルク印刷方式、押し出しシート成形、または熱厚プレス成形により成形させている。
また、本発明の装飾体は、照明具を具備し、画像の立体感を増大させている。
【発明の効果】
【００１３】
本発明の装飾板は、複数枚の写真画像をコンピュータ処理によって縦方向または横方向に多数の線状帯に分け、これらの異なる写真画像の線状帯を順に並べて１枚の写真シートに印刷し、その上に線状帯群のピッチと方向を合わせたカマボコ形のレンズの集合体からなる透明なレンチキュラーレンズを貼り付けた装飾板において、上記写真シートの印刷基板として透明または半透明シートを用いると共に、写真画像の一つを画像のない無画像とし、画面を傾けるか視線を変えることで実画像が消滅して透明または半透明の無画像が発現するように形成されているので、従来にも増して装飾性が向上するのみならず、意外性や芸術性に富み、好奇心を喚起させることが期待できる。
また、本発明の装飾板は、照明具を具備することにより、さらに、画像の立体感を増大させることができる。
【００１４】
一方、本発明の装飾体は、直角６面体からなる装飾体において、天井部を除く４側面部を、請求項１に記載の装飾板により形成すると共に、上記装飾板のレンチキュラーレンズのレンズを同一方向に指向させたので、斜め上方から見ると、３面、少なくとも２面の画像がリンクし、従来にも増して装飾性が向上するのみならず、意外性や芸術性に富み、好奇心を喚起させることが期待できる。
また、本発明の装飾体は、照明具を具備することにより、さらに、画像の立体感を増大させることができる。
【発明を実施するための最良の形態】
【００１５】
以下、本発明の実施の形態を図面を用いて説明する。
まず、本発明に係る装飾板について説明し、続いて、この装飾板で形成したボックス形の装飾体について説明する。
【００１６】
図１の装飾板１０は、図２のように、カマボコ形のレンズ１２の集合体からなる透明なレンチキュラーレンズ１１と、その裏面（背面）に貼り付けた１枚の写真シート１３により構成されている。
【００１７】
この写真シート１３は、図２および図３に示すように、例えば、図柄（絵柄）の異なる３枚の写真画像Ｘ，Ｙ，Ｚをコンピュータ処理によって縦方向に多数の線状帯（不図示）に分け、これらの異なる３枚の写真画像Ｘ，Ｙ，Ｚの線状帯ｘ，ｙ，ｚを順に並べて１枚の透明または半透明のシート１４の片面に印刷したものである。
【００１８】
上記の写真シート１３をレンチキュラーレンズ１１の背面に貼り付ける際には、３本の線状帯ｘ，ｙ，ｚからなる線状帯群１５のピッチＰ2と方向を、レンチキュラーレンズ１１のレンズ１２のピッチＰ1と方向に一致させる。写真シート１３をレンチキュラーレンズ１１の背面に貼り付ける接着剤としては、無色透明なものが望ましい。
【００１９】
本発明の特徴は、図２および図３に示すように、一枚の写真画像を実像のない無画像とした点にある。本発明のように、一枚の写真画像を実像のない無画像とすると、図４に示すように、上記装飾板１０を、第１の視点ａから見た場合には、図５のように、第１の写真画像Ｘ、すなわち、長円部２１と、釣鐘部２２および倒立Ｕ字部２３の複合画像３１が発現し、続いて、第２の視点ｂから見た場合には、図６のように、第２の写真画像Ｙ、すなわち、長円部２１と釣鐘部２２とが消滅して倒立Ｕ字部２３のみの単一画像３２が発現し、続いて、第３のｃ点から見た場合には、図７のように、第３の写真画像Ｚ、すなわち、倒立Ｕ字部２３が消滅して実像のない無画像３３が発現する。
【００２０】
従って、装飾性のみならず、意外性や芸術性に富んだものとなる。また、その特徴を活かして幅広い分野に適用することができる。
【００２１】
このレンチキュラーレンズの凸レンズの断面形状としては、例えば、半円形状、半楕円形状、台形状などが望ましい。
また、レンチキュラーレンズは、例えば、インジェクション成形、シルク印刷方式、押し出しシート成形、または熱厚プレス成形などにより成形することが望ましい。
【００２２】
また、レンチキュラーレンズの素材としては、例えば、塩化ビニル樹脂、アクリル樹脂、ポリエステル、ポリプロピレンなどが好ましい。
また、印刷シートの素材としては、例えば、塩化ビニル樹脂、アクリル樹脂、ポリエステル、ポリプロピレンなどが好ましい。
【００２３】
また、図４に示すように、装飾板１０の背面側に、照明具４１を具備することにより、画像の立体感を増大させることができる。また、発色の異なる複数の照明具を備えることで、装飾性を変化させることができる。
【００２４】
続いて、上記の装飾板を用いて形成したボックス形の装飾体について説明する。
図８に示すように、本発明の装飾体５０は、直角６面体の一つである中空の直方体形に形成され、天井部５１を除く４側面部５２は、既に説明した装飾板１０により形成されている。その上、この装飾体５０は、天井部５１を除く４側面部５２のレンチキュラーレンズのレンズを、矢印で示すように、鉛直方向に指向させている。
【００２５】
一方、この天井部５１は、レンチキュラーレンズのレンズを、矢印で示すように、天井部５１の対角線の方向に指向させている。その上、この天井部５１は、レンチキュラーレンズ１１の背面に貼り付ける写真シート５３の写真画像Ｓを、図９に示すように、例えば、中心に円形の空白部５４を持つドーナツ形の写真画像６２と、実像のない無画像６３により構成している。
【００２６】
しかして、本発明の装飾体５０を、図９に示すように、斜め上方の視点ｄまたはｅより見ると、天井部５１と２側面５２ａ，５２ｂの３面の画像３１，３２，６２がリンクして見える。
【００２７】
つまり、天井部５１は、中心に円形の空白部５４が発現し、第１の側面５２ａは、倒立Ｕ字形の画像２３が発現し、第２の側面５２ｂは、長円部２１と、釣鐘部２２および倒立Ｕ字部２３の複合画像３１が発現する。
【００２８】
また、図１１のように、視点を視点ｆ，ｇに移動させると、天井部５１の円形の空白部５４が消滅し、第１，第２の２つの側面５２ａ，５２ｂの画像がリンクする。
【００２９】
なお、天井部のレンズ部については、いろいろの変形が考えられる。
すなわち、図１０（ａ）のように、天井部５１を、第１対角線７１上の２つの区域７２，７３と、第１対角線７１と直交する第２対角線７４上の２つの区域７５，７６とに分割すると共に、これらの４つの区域のレンチキュラーレンズのレンズを、矢印で示すように、個々の対角線７１，７４と直交する方向に指向させて同様の効果が期待できる。
【００３０】
また、図１０（ｂ）のように、レンチキュラーレンズ１１のレンズ１２を同心円にしても同様の効果が期待できる。
また、図１０（ｃ）のように、多数の凸レンズ状の突起５５を、碁盤の目の如く配したも同様の効果が期待できる。
【００３１】
レンチキュラーレンズおよび凸レンズ状の突起は、例えば、インジェクション成形、シルク印刷方式、押し出しシート成形、または熱厚プレス成形などにより成形することが望ましい。
また、本発明は、ボックス形の装飾体５０内に照明具（不図示）を具備し、画像の立体感を増大させるようにしている。
【００３２】
以上の説明では、複数の写真画像をコンピュータ処理によって縦方向に多数の線状帯に分け、これらの異なる写真画像の線状帯を順に並べて１枚の写真シートに印刷する場合について説明したが、これに限らず、例えば、複数の写真画像をコンピュータ処理によって横方向に多数の線状帯に分け、これらの異なる写真画像の線状帯を順に並べて１枚の写真シートに印刷しても良い。
【００３３】
また、上記のボッスス形の装飾体を巨大化して人の入れる部屋を造り、その内側から壁面、すなわち、装飾板を見ても画像がリンクする。
また、薄手のレンチキュラーレンズの背面に画像を印刷後、サイコロを作る要領で造っても２面がリンクする。
【産業上の利用可能性】
【００３４】
本発明の装飾板および装飾体は、椅子、テーブル、カウンターなどの家具、ストラップ、装飾小物などの雑貨、電飾などの看板、蛍光灯の傘などの家電品、ケース類などの文房具などの用途に有用である。
【図面の簡単な説明】
【００３５】
【図１】本発明に係る装飾板の正面図である。
【図２】図１Ａ−Ａ′断面図である。
【図３】合成画像の作成説明図である。
【図４】視点によって画像が変化する原理図である。
【図５】複合画像の正面図である。
【図６】単一画像の正面図である。
【図７】実像のない無画像の正面図である。
【図８】本発明に係る装飾体の斜視図である。
【図９】天井部の合成画像の作成説明図である。
【図１０】天井部のレンズ部の変形例であり、（ａ）レンチキュラーレンズを対角線と交差させた例、（ｂ）レンチキュラーレンズが同心円状にした例、（ｃ）凸レンズ状の突起にした例である。
【図１１】視点によって画像が変化する説明図である。
【符号の説明】
【００３６】
Ｘ，Ｙ，Ｚ  写真画像
ｘ，ｙ，ｚ  線状帯
１１        透明なレンチキュラーレンズ
１２        カマボコ形のレンズ
１３        写真シート
１４        透明または半透明シート
１５        線状帯群
３３        画像のない無画像
【図１】
2005074719.tif 000003
【図２】
2005074719.tif 000004
【図３】
2005074719.tif 000005
【図４】
2005074719.tif 000006
【図５】
2005074719.tif 000007
【図６】
2005074719.tif 000008
【図７】
2005074719.tif 000009
【図８】
2005074719.tif 000010
【図９】
2005074719.tif 000011
【図１０】
2005074719.tif 000012
【図１１】
2005074719.tif 000013